(57)【要約】【課題】１Ｆ反転駆動方式の欠点である縦方向のクロストークおよびシェーディング不良を改善する表示装置を提供する。【解決手段】パネル面に画素回路が行列状に配置され、水平駆動回路５７は、１Ｈ反転させて信号電位を生成して出力し、垂直駆動回路５６は、パネルの上部および下部の各パネル領域に対して、任意のフィールドで画素電位の極性を相互に反転させ、さらに、各パネル領域に対して、画素電位の極性をフィールド毎に順次反転させるように、走査線を選択して水平駆動回路５７からの信号電位を画素回路の液晶セルＬＣに書き込む。【選択図】図２
2005309049.tif 000002
【特許請求の範囲】
【請求項１】
画素回路が行列状に配置され、各列毎に信号線が配線され、各行に走査線が配線される画素部と、
前記画素部を構成する有効画素領域のうち、複数の領域に対して、任意のフィールドで画素回路が保持する画素電位の極性を相互に反転させ、かつ、各領域に対して、前記画素電位の極性をフィールド毎に順次反転させるように、前記画素部の各走査線に走査パルスを与える第１の駆動手段と、
前記第１の駆動手段から前記走査パルスを与えられた走査線に接続された画素回路に対し、前記信号線を通して、水平同期信号に同期して極性を反転させた映像信号を供給する第２の駆動手段と
を有する表示装置。
【請求項２】
前記第１の駆動手段は、各領域に対して、順に走査パルスを与える
請求項１記載の表示装置。
【請求項３】
前記第１の駆動手段は、前記複数の領域の数に応じた複数系統のパルス生成手段を含む
請求項１記載の表示装置。
【請求項４】
画素回路が行列状に配置され、各列毎に信号線が配線され、各行に走査線が配線される画素部と、
前記画素部を構成する有効画素領域の上部領域である第１の領域、および、前記有効画素領域の下部領域である第２の領域に対して、任意のフィールドで画素回路が保持する画素電位の極性を相互に反転させ、かつ、各領域に対して、前記画素電位の極性をフィールド毎に順次反転させるように、前記画素部の各走査線に走査パルスを与える第１の駆動手段と、
前記第１の駆動手段から前記走査パルスを与えられた走査線に接続された画素回路に対し、前記信号線を通して、水平同期信号に同期して極性を反転させた映像信号を供給する第２の駆動手段と
を有する表示装置。
【請求項５】
前記第１の駆動手段は、前記第１の領域および前記第２の領域に対して、最初に走査パルスを与える領域を、フィールド毎に入れ替える
請求項４記載の表示装置。
【請求項６】
前記画素回路は、液晶セルを含む
請求項１記載の表示装置。
【発明の詳細な説明】
【技術分野】
【０００１】
本発明は、交流駆動化されたアナログ映像信号によって表示部を駆動する液晶表示装置（ＬＣＤ）などの表示装置に関するものである。
【背景技術】
【０００２】
画素がマトリクス状に配列されて構成される表示装置、たとえば、液晶表示装置（液晶ドライバ）の駆動方式として、画素のそれぞれに対して個々の独立した画素電極を配列し、これらの画素電極のそれぞれに薄膜トランジスタ（ＴＦＴ：Thin Film Transistor）等のスイッチング素子を接続して、画素を選択的に駆動する、いわゆるアクティブマトリクス駆動方式が知られている。
【０００３】
アクティブマトリクス型液晶表示装置では、スイッチング素子として例えば薄膜トランジスタが形成されたＴＦＴ基板と、カラーフィルタや対向電極等が形成された対向基板とを重ね合わせ、これら基板間に液晶を封入することによって液晶パネルが構成されている。そして、この液晶パネルにおいて、薄膜トランジスタによるスイッチング制御と映像信号に基づく電位印加によって、液晶の配向を制御し、光の透過率を変えることで映像表示を行っている。
【０００４】
アクティブマトリクス型液晶パネルの駆動系では、一般的に、映像信号と水平、垂直同期信号をタイミングジェネレータおよび液晶ドライバが受け、タイミングジェネレータからは各種のタイミング信号を、液晶ドライバからは交流駆動化されたアナログ映像信号をそれぞれ液晶パネルに供給することによって表示駆動が行われる。
ここで、交流駆動化されたアナログ映像信号とは、液晶に同極性の直流電位が印加され続けることによって液晶の比抵抗（物質固有の抵抗値）等が劣化することを防ぐために、コモン電位Ｖｃｏｍを中心に、所定の周期により極性が反転するアナログ映像信号のことをいう。
【０００５】
上記交流駆動化されたアナログ映像信号による駆動方法として、１Ｆ反転駆動（１Ｆは１フィールド期間）が知られている。１Ｆ反転駆動は、１フィールド毎にアナログ映像信号の極性を反転させる駆動方法である。
１Ｆ反転駆動によれば、各フィールドにおいて映像信号が同極性となるので、各画素間に縦方向の電界がかからず、液晶配向の乱れが発生しない。したがって、黒表示時の光漏れがないため、高コントラストが達成できる。また、ＶＡ液晶（垂直配向型液晶）を用いた長寿命化が可能となる利点がある。
【発明の開示】
【発明が解決しようとする課題】
【０００６】
ところで、上述した１Ｆ反転駆動方式では、映像信号を書き込む際に、１フィールドの期間中、同極性の信号電位が画素に印加されるため、信号線の電位のゆれが大きくなり、この電位のゆれが画素トランジスタのソース／ドレインカップリングによって画素に飛び込むため、縦方向のクロストークが顕著となり、画質不良の要因となる。
【０００７】
また、上述した１Ｆ反転駆動方式では、１フィールド期間中の画素電位のリーク量がパネルの位置によって異なるために、シェーディング不良が発生する。
この点について、添付図面に関連付けて説明する。
図１０は、１Ｆ反転駆動方式における信号線電位と画素電位との関係を示すタイミングチャートであり、（Ａ）は、コモン電位を７．５Ｖとして、一定の中間色調を表す信号線電位の波形であり、（Ｂ）〜（Ｇ）は、パネル位置が上から下にかけてそれぞれ異なる走査線のゲートパルスＶＧ１〜６と、画素電位ＶＰ１〜６とを、それぞれ示す。
１Ｆ反転駆動方式では、１フィールド期間中、パネルの上から下に向けて順次走査線を駆動していくので、図１０に示すように、ゲートパルスＶＧ１からゲートパルスＶＧ６に向けて順次に立ち上がり、それに応じて、順次信号線電位が各パネル位置の画素に書き込まれていく。
【０００８】
図１１は、１Ｆ反転駆動方式において、各パネル位置に応じて画素電位のリーク量を示した図である。図中、各パネル位置において画素電位がリークしている期間をＬＰと付している。
画素電位のリークは、画素トランジスタのソース電位、すなわち、信号線電位と、画素トランジスタのドレイン電位、すなわち、画素電位との差が大きい場合に発生するので、図中点線で示したように、ゲートパルスの立ち上がりタイミングに応じて、パネル位置によりリーク期間ＬＰが異なる。これに起因して、図１２に示すように、パネルの上から下にかけて、徐々に色が白方向（ノーマリーホワイトモードの場合）となるシェーディング不良が発生することになる。
【０００９】
本発明はかかる事情に鑑みてなされたものであり、その目的は、１Ｆ反転駆動方式の欠点である縦方向のクロストークおよびシェーディング不良を改善する表示装置を提供することにある。
【課題を解決するための手段】
【００１０】
上記目的を達成するために本発明の第１の観点は、画素回路が行列状に配置され、各列毎に信号線が配線され、各行に走査線が配線される画素部と、前記画素部を構成する有効画素領域のうち、複数の領域に対して、任意のフィールドで画素回路が保持する画素電位の極性を相互に反転させ、かつ、各領域に対して、前記画素電位の極性をフィールド毎に順次反転させるように、前記画素部の各走査線に走査パルスを与える第１の駆動手段と、前記第１の駆動手段から前記走査パルスを与えられた走査線に接続された画素回路に対し、前記信号線を通して、水平同期信号に同期して極性を反転させた映像信号を供給する第２の駆動手段とを有する表示装置である。
【００１１】
好適には、前記第１の駆動手段は、各領域に対して、順に走査パルスを与える。
【００１２】
好適には、前記第１の駆動手段は、前記複数の領域の数に応じた複数系統のパルス生成手段を含む。
【００１３】
上記目的を達成するために本発明の第２の観点は、画素回路が行列状に配置され、各列毎に信号線が配線され、各行に走査線が配線される画素部と、前記画素部を構成する有効画素領域の上部領域である第１の領域、および、前記有効画素領域の下部領域である第２の領域に対して、任意のフィールドで画素回路が保持する画素電位の極性を相互に反転させ、かつ、各領域に対して、前記画素電位の極性をフィールド毎に順次反転させるように、前記画素部の各走査線に走査パルスを与える第１の駆動手段と、前記第１の駆動手段から前記走査パルスを与えられた走査線に接続された画素回路に対し、前記信号線を通して、水平同期信号に同期して極性を反転させた映像信号を供給する第２の駆動手段とを有する表示装置である。
【００１４】
好適には、前記第１の駆動手段は、前記第１の領域および前記第２の領域に対して、最初に走査パルスを与える領域を、フィールド毎に入れ替える。
【００１５】
本発明の第１の観点によれば、第１の駆動手段が、有効画素領域を構成する複数の領域について、前記画像の任意のフィールドで画素回路が保持する電位の極性を相互に反転させるように走査線を選択し、各領域に対して、画素回路が保持する電位の極性をフィールド毎に順次反転させるように、前記走査線に走査パルスを与えて走査線を選択するので、各領域毎に見ると１Ｆ反転駆動となる一方、第２の駆動手段は、第１の駆動手段により選択された走査線に対し、水平同期信号（１Ｈ）に同期して極性を反転させた映像信号を信号線に印加するので、カップリングが１Ｈ毎にキャンセルされて縦方向のクロストークが低減され、かつ、リーク量がパネル面内で均一となる結果、シェーディングが改善される。
【発明の効果】
【００１６】
本発明によれば、１Ｆ反転駆動方式の欠点である縦方向のクロストークおよびシェーディング不良を改善することが可能とするので、表示装置の画質が向上する。
【発明を実施するための最良の形態】
【００１７】
以下、本発明の実施の形態について添付図面に関連付けて説明する。
図１は、本発明の一実施形態に係るアクティブマトリックス型の液晶表示装置１の構成例を示すブロック図である。同図から明らかなように、液晶表示装置１は、映像信号処理部２、タイミングジェネレータ（ＴＧ）３、液晶ドライバ４、およびＬＣＤパネルモジュール５を有し、電界を印加しない状態で光が通過するノーマリーホワイトモードのパネル構成となっている。
以下、上記構成の液晶表示装置１の各構成要素について説明する。
【００１８】
映像信号処理部２は、ＲＧＢのディジタル映像信号を入力し、ホワイトバランス調整やガンマ調整などの画質調整を行う信号処理を実行する。
一般に、映像表示デバイスの入力信号に対する表示出力は、人間の目にとって線形に変化しているように見えないので、これを調整するためガンマ補正をおこなっている。すなわち、外部から入力されたＲＧＢの映像信号は、ＬＣＤパネルモジュール５に実装される液晶の電位−透過率特性（Ｖ−Ｔ特性）に合ったガンマ補正が行われて出力される。
【００１９】
タイミングジェネレータ３は、水平同期信号ＨＳＹＮＣおよび垂直同期信号ＶＳＹＮＣに基づいて、１Ｈ反転のための制御信号（ＣＬＫ）を生成して液晶ドライバ４へ出力するとともに、垂直スタートパルスＶＳＴ、垂直クロックパルスＶＣＫ、水平スタートパルスＨＳＴおよび水平クロックパルスＨＣＫなどの各種のタイミング信号を生成してＬＣＤパネルモジュール５へ出力する。
【００２０】
液晶ドライバ４は、タイミングジェネレータ３より供給される１Ｈ反転の制御信号（ＣＬＫ）に基づいて、映像信号処理部２から出力されるＲＧＢの映像信号に対して、１Ｈ反転のための制御を行う。これにより、液晶ドライバ４からは、１Ｈ周期により交流駆動化されたアナログ映像信号が出力される。
【００２１】
液晶ドライバ４は、Ｄ／Ａ変換回路およびサンプルホールド回路を内蔵し、映像信号処理部２からのディジタル映像信号をアナログ信号に変換し、タイミングジェネレータ３から供給されるサンプルホールドパルス（ＳＨＰ）に基づいて、一定間隔でサンプリングした信号を生成し、上述のような交流化処理を行う。
【００２２】
ＬＣＤパネルモジュール５は、液晶ドライバ４から供給されるアナログ映像信号により、タイミングジェネレータ３からの所定のタイミング信号に同期して、映像表示のために駆動される。
図２に、ＬＣＤパネルモジュール５の回路構成の一例を示す。
ここでは、図面の簡略化のため、３行（ｎ−１行〜ｎ＋１行）４列（ｍ−１列〜ｍ＋２列）の画素配列の場合を例として示している。
【００２３】
図２において、表示エリア（有効画素領域）５１には、画素トランジスタである薄膜トランジスタＴＦＴ、液晶セルＬＣおよび保持容量Ｃｓを有する単位画素５２がマトリクス状に配列されている。ここで、液晶セルＬＣは、薄膜トランジスタＴＦＴで形成される画素電極とこれに対向して形成される対向電極との間で発生する容量を意味する。
【００２４】
上述の画素構造において、薄膜トランジスタＴＦＴは、ゲート電極が走査線５３ｎ−１，５３ｎ，５３ｎ＋１に接続され、ソース電極が信号線５４ｍ−１，５４ｍ，５４ｍ＋１，５４ｍ＋２に接続されている。
液晶セルＬＣは、画素電極が薄膜トランジスタＴＦＴのドレイン電極に接続され、対向電極がコモン線５５に接続されている。保持容量Ｃｓは、薄膜トランジスタＴＦＴのドレイン電極とコモン線５５との間に接続されている。コモン線５５には、基準電位であるコモン電位Ｖｃｏｍが印加されている。
【００２５】
走査線５３ｎ−１，５３ｎ，５３ｎ＋１の各一端は、垂直駆動回路５６の対応する行の各出力端にそれぞれ接続されている。信号線５４ｍ−１，５４ｍ，５４ｍ＋１，５４ｍ＋２の各一端は、水平駆動回路５７の対応する行の各出力端にそれぞれ接続されている。
【００２６】
第２の駆動手段としての水平駆動回路５７には、図１に示す液晶ドライバ４からのアナログ映像信号が供給されるとともに、タイミングジェネレータ３からタイミング信号として、水平スタートパルスＨＳＴおよび水平クロックパルスＨＣＫが与えられる。
水平駆動回路５７は、水平スタートパルスＨＳＴに応答して水平駆動を開始し、水平クロックパルスＨＣＫに同期してアナログ映像信号を１Ｈ毎に順次サンプリングする。
【００２７】
水平駆動回路５７の駆動方式として、たとえば、点順次駆動方式の場合には、１Ｈ分のアナログ映像信号を順次サンプリングしてそのまま順に信号線５４ｍ−１，５４ｍ，５４ｍ＋１，５４ｍ＋２に出力する。これにより、垂直駆動回路５６により選択されているライン（行）の画素５２に対して、順番に映像信号が書き込まれる。
【００２８】
第１の駆動手段としての垂直駆動回路５６には、図１に示すタイミングジェネレータ３からタイミング信号として、垂直スタートパルスＶＳＴおよび垂直クロックパルスＶＣＫが与えられる。
垂直駆動回路５６は、垂直スタートパルスＶＳＴに応答して垂直駆動（垂直走査）を開始し、走査線にゲートパルスを送出することによりＴＦＴをオン状態として走査線を選択し、選択された走査線に対して、上述した水平駆動回路５７からの映像信号が書き込まれる。
【００２９】
以下、垂直駆動回路５６による駆動方法（走査方法）について、図３に関連付けて述べる。
図３は、垂直駆動回路５６の駆動による信号線電位と画素電位との関係を示すタイミングチャートであり、（Ａ）は、コモン電位を７．５Ｖとして、一定の中間色調を表す信号線電位の波形であり、（Ｂ）〜（Ｇ）は、パネル位置が上から下にかけてそれぞれ異なる走査線のゲートパルスＶＧ１〜６と、画素電位ＶＰ１〜６とを、それぞれ示す。
図３において、パネル位置１〜３は、パネルの中央から上部の位置を、パネル位置４〜６は、パネルの中央から下部の位置を、それぞれ例示し、パネル位置３および４は、パネルのほぼ中央位置を示す。
【００３０】
図３に示す垂直駆動回路５６の駆動方法では、パネルの上部および下部の各パネル領域に対して、任意のフィールドで画素電位の極性を相互に反転させ、さらに、各パネル領域に対して、画素電位の極性をフィールド毎に順次反転させる。
【００３１】
たとえば、図中の１フィールド目においては、パネル上部のパネル位置１〜３にある走査線は、信号線電位が負極性（５Ｖ）であるタイミングで、ゲートパルスがＶＧ１〜３の順に送出され、負極性（５Ｖ）の画素電位ＶＰ１〜３が書き込まれていく。
一方、パネル下部のパネル位置４〜６にある走査線は、信号線電位が正極性（１０Ｖ）であるタイミングで、ゲートパルスがＶＧ４〜６の順に送出され、正極性（１０Ｖ）の画素電位ＶＰ４〜６が書き込まれていく。
【００３２】
次に、図中の２フィールド目においては、パネル上部のパネル位置１〜３にある走査線は、１フィールド目とは逆に、信号線電位が正極性（１０Ｖ）であるタイミングで、ゲートパルスがＶＧ１〜３の順に送出され、正極性（１０Ｖ）の画素電位ＶＰ１〜３が書き込まれていく。
一方、パネル下部のパネル位置４〜６にある走査線は、１フィールド目とは逆に、信号線電位が負極性（５Ｖ）であるタイミングで、ゲートパルスがＶＧ４〜６の順に送出され、負極性（５Ｖ）の画素電位ＶＰ４〜６が書き込まれていく。
【００３３】
図中の３フィールド目においては、パネルの上部および下部において、２フィールド目に対し極性が反転する結果、１フィールド目と同一の画素電位ＶＰ１〜６が書き込まれていく。
【００３４】
上述したように、垂直駆動回路５６は、パネル領域の上下１／２毎に画素電位の極性が異なり、各パネル領域は、通常の１Ｆ反転駆動を行うため、以下、図３に示すような駆動方式を１／２Ｆ反転駆動と称する。
【００３５】
図４は、フィールド毎の信号線電位の極性の変化を示す図であり、（１）は、通常の１Ｆ反転駆動の場合を、（２）は、１／２Ｆ反転駆動の場合を、（Ａ）〜（Ｃ）は、１フィールド目〜３フィールド目について、それぞれ示す。
図４（１）に示すように、従来の１Ｆ反転駆動の場合には、各フィールドにおいて、パネルの上から下に向けて走査線を順次駆動していくため、各フィールドにおいては信号線電位の極性は一定であり、フィールド毎に（１Ｆ目→２Ｆ目→３Ｆ目と）その極性が反転していく。
一方、図４（２）に示すように、垂直駆動回路５６が行う１／２Ｆ反転駆動の場合、各フィールドにおいては、中心位置ＣＬを境にして、パネルの上部と下部で信号線電位の極性が反転し、パネルの上部および下部がそれぞれ１Ｆ反転駆動のように、フィールド毎に（１Ｆ目→２Ｆ目→３Ｆ目と）その極性が反転していく。
【００３６】
上述した１／２Ｆ反転駆動を行うことにより、下記の利点が得られる。
すなわち、上下の各パネル領域は、それぞれ１Ｆ反転駆動のように動作するため、従来の１Ｆ反転駆動の利点である表示画像のコントラスト向上とＶＡ液晶（垂直配向型液晶）を用いた長寿命化を図りつつ、従来の１反転駆動の欠点であったカップリング性の縦クロストークを緩和することができる。これは、図３（Ａ）に示すように、信号線電位を１Ｈ反転させているため、カップリングによる影響がキャンセルされるからである。
【００３７】
たとえば、パネル中央に対して対称なウィンドウを表示させた場合には、カップリングがキャンセルされて０となるため、１Ｈ反転駆動と同等の縦方向のクロストークのレベルとなる。
また、パネルの上下いずれかにウィンドウを表示させた場合には、カップリングは０にはならないが１／２のレベルとなり、また、縦方向のクロストークはウィンドウの高さに比例するので１／２となって、合計で縦方向のクロストークのレベルは、１／４となる。この時、画素電位のリークはほとんど発生しないため、縦方向のクロストークのレベルは、実際には、１Ｆ反転駆動と比較して、１／５以下程度になる。
【００３８】
パネル面の上部および下部で画素電位の極性が反転するので、パネル前面で同極性の１Ｆ反転駆動と比較して、フリッカ（ちらつき）のレベルも緩和される。
【００３９】
また、画素電位のリーク量が減少するため、シェーディング不良を改善することができる。図５は、１／２Ｆ反転駆動によるシェーディングに関する効果を示す。
図５において、（Ａ）に示す信号線電位および（Ｂ）〜（Ｇ）に示す各パネル位置の画素電位ＶＰ１〜６は、図３と同様であるが、リークによる変化を点線で示している。
信号線電位を１Ｈ反転駆動させているため、図５に示すように、パネル位置によらずリーク量は一定となり、シェーディングは発生しない。
【００４０】
次いで、垂直駆動回路５６が図３に示すタイミングでゲートパルスＶＧ１〜６を駆動するための回路の一実施例について、図６および図７を参照して述べる。
図３では、説明の便宜のため、パネル位置に応じて、パネルの中央から上下面にそれぞれ３本の走査線を有する６本の走査線を駆動する場合の例について述べたが、一般的な液晶表示装置では７６８本の走査線があり、以後の説明においては、走査線１〜７６８番目のゲートパルスをＶＧ＿Ｘ（Ｘ：１〜７６８）と称する。
【００４１】
図６において、（Ａ）および（Ｂ）は、それぞれパネル上部およびパネル下部に対するゲートパルスを生成するための回路例であり、図７において、（Ａ）〜（Ｋ）は、図６に示す回路の動作を示すタイミングチャートである。
したがって、図６（Ａ）に示すディジタル回路は、パネルの上面、すなわち、１〜３８４番目の走査線を駆動するためのゲートパルスを生成し、図６（Ｂ）に示すディジタル回路は、パネルの下面、すなわち、３８５〜７６８番目の走査線を駆動するためのゲートパルスを生成する。
【００４２】
図６において、２ＶＳＴは、通常の垂直スタートパルスＶＳＴの２倍のパルス幅のパルス信号であり、２ＶＣＫは、通常の垂直クロックパルスＶＣＫの２倍のパルス幅のパルス信号であり、４ＶＣＫは、図示したように、所定のタイミングから通常の垂直クロックパルスＶＣＫの４倍のパルス幅を発生するパルス信号であり４ＶＣＫＸは、４ＶＣＫの反転信号である。
なお、本実施形態では、垂直駆動回路５６がタイミングジェネレータ３からＶＳＴ，ＶＣＫの各信号を受けて内部で上記各信号（２ＶＳＴ，２ＶＣＫ，４ＶＣＫ，４ＶＣＫＸ）を生成するが、タイミングジェネレータ３側でこれらの各信号を生成した後に、垂直駆動回路５６が入力するように構成してもよい。
【００４３】
図６において、（Ａ）および（Ｂ）に示すディジタル回路には、それぞれ同タイミングで２ＶＳＴを入力する。入力した２ＶＳＴのパルス信号は、各回路が有する複数のシフトレジスタＳ／Ｒ１，Ｓ／Ｒ２，…により順次後段に伝達される。
これにより、図６（Ａ）の回路では、ＥＮＢ１のタイミングに同期して、図７（Ｈ）〜（Ｊ）に示すように、順次ゲートパルスＶＧ＿３８４，ＶＧ＿３８３，ＶＧ＿３８２，…が立ち上がっていく。
一方、図６（Ｂ）の回路では、ＥＮＢ２のタイミングに同期して、図７（Ｋ）〜（Ｍ）に示すように、順次ゲートパルスＶＧ＿３８５，ＶＧ＿３８６，ＶＧ＿３８７，…が立ち上がっていく。
ここで、図７（Ｃ）および（Ｄ）に示すように、ＥＮＢ１とＥＮＢ２がＨレベルになるタイミングはそれぞれ反転しているので、図６（Ａ）および（Ｂ）に示す各ディジタル回路が出力するゲートパルスは、図７（Ｈ）〜（Ｍ）に示すように、交互に立ち上がることになる。
【００４４】
上述した回路構成をとることで、ゲートパルスは、パネル中央から上下方向に、パネルの上面および下面を交互に駆動するように、立ち上がるため、図３に示すようなタイミングで画素電位を画素に書き込むことが可能となる。
【００４５】
以上、図６および図７を参照して、１フィールドにおける走査線の走査タイミングについて述べたが、次いで、各フィールド毎の走査線駆動について説明する。
図８は、各フィールド毎の走査線駆動の順序について説明するための図である。なお、図８では、説明の便宜のため、パネルの上下面にそれぞれ走査線が３本、合計で６本ある場合について図示する。
【００４６】
図８に示すように、走査線駆動の順序は、ゲートパルスを立ち上げる順序をパネル上面とパネル下面とで、各フィールド毎に入れ換えるようにして行う。
たとえば、１フィールド目では、パネル上面の走査線から走査を開始し、走査線３→走査線４→走査線２→走査線５→走査線１→走査線６の順に走査を行う。２フィールド目では、パネル下面の走査線から走査を開始し、走査線４→走査線３→走査線５→走査線２→走査線６→走査線１の順に走査を行う。３フィールド目では、また、走査開始の位置を１フィールド目と同様にして行う。
なお、かかる走査線駆動は、図６（Ａ）および（Ｂ）に示した各ディジタル回路の出力をフィールド毎に切り替えることで可能となる。
【００４７】
上述したフィールド毎の走査線駆動を行う、すなわち、パネル上面とパネル下面とで各フィールド毎の走査線駆動の順序を入れ換えることにより、図８に示すように、各極性の電位を保持するタイミングが半減するので、カップリングの影響を低減させることができる。
【００４８】
以上説明したように、本発明の実施形態に係る液晶表示装置１によれば、パネル面に画素回路が行列状に配置され、水平駆動回路５７は、１Ｈ反転させて信号電位を生成して出力し、垂直駆動回路５６は、パネルの上部および下部の各パネル領域に対して、任意のフィールドで画素電位の極性を相互に反転させ、さらに、各パネル領域に対して、画素電位の極性をフィールド毎に順次反転させるように、走査線を選択して水平駆動回路５７からの信号電位を画素回路の液晶セルに書き込むので、以下の効果を得ることができる。
【００４９】
すなわち、上下の各パネル領域は、それぞれ１Ｆ反転駆動のように動作するため、従来の１Ｆ反転駆動の利点であるコントラストの向上とＶＡ液晶を用いた長寿命化を図りつつ、信号線電位を１Ｈ反転させているため、カップリングによる影響がキャンセルされることで、従来の１反転駆動の欠点であったカップリング性の縦クロストークを緩和することができる。
【００５０】
また、信号線電位を１Ｈ反転させているため、画素電位のリーク量が減少するとともに、パネル位置によらずリーク量が一定となり、シェーディング不良が発生しない。
さらに、パネル面内の画素電位がパネル上下でそれぞれ逆極性となるため、パネル前面が同極性となる１Ｆ反転駆動と比較して、フリッカ（ちらつき）が緩和される。
【００５１】
なお、本発明の実施形態は上述した内容に拘泥せず、本発明の要旨を変更しない範囲で様々な改変が可能である。
たとえば、上述した実施形態においては、走査線の駆動のために、パネルを上部および下部に２分割して相互に反転させる場合について説明したが、２分割に拘泥するものではなく、たとえば、４分割（１／４Ｆ反転）や８分割（１／８Ｆ反転）など、分割の数を増やすように構成してもよい。
【００５２】
図９は、１／４Ｆ反転駆動の場合の各フィールド毎の画素電位の極性を示す図であり、（Ａ）〜（Ｃ）は、１フィールド目〜３フィールド目について、それぞれ示す。なお、線ＣＬ１〜３は、パネルをほぼ均等に４分割するように設定される。
図９に示す１／４Ｆ反転駆動の場合も、１／２Ｆ反転駆動の場合と同様に、４分割した各パネル領域に対し、任意のフィールドで画素電位の極性を相互に反転させ、さらに、各パネル領域に対して、画素電位の極性をフィールド毎に順次反転させる。
【００５３】
１／４Ｆ反転駆動を行うためのゲートパルスの生成については、図６に示した回路を４系統に拡張する変更を行うことにより実現できる。たとえば、通常の垂直クロックパルスＶＣＫの８倍のパルス幅を発生するパルス信号（８ＶＣＫ）や、順に立ち上がる４本のＥＮＢ信号を組み合わせることにより実現できる。
【図面の簡単な説明】
【００５４】
【図１】実施形態に係る液晶表示装置の構成例を示すブロック図である。
【図２】ＬＣＤパネルモジュールの回路構成を例示する図である。
【図３】本発明に係る駆動方式における信号線電位と画素電位との関係を示すタイミングチャートであり、（Ａ）は、信号線電位の波形であり、（Ｂ）〜（Ｇ）は、パネル位置が上から下にかけてそれぞれ異なる走査線のゲートパルスＶＧ１〜６と、画素電位ＶＰ１〜６とを、それぞれ示す。
【図４】フィールド毎の信号線電位の極性の変化を示す図であり、（１）は、通常の１Ｆ反転駆動の場合を、（２）は、１／２Ｆ反転駆動の場合を、（Ａ）〜（Ｃ）は、１フィールド目〜３フィールド目について、それぞれ示す。
【図５】本発明に係る駆動方式において、各パネル位置に応じて画素電位のリーク量を示した図である。
【図６】ゲートパルス発生回路の構成についての一実施例である。
【図７】各ゲートパルスの発生タイミングを示すタイミングチャートである。
【図８】各フィールド毎の走査線駆動の順序について説明するための図である。
【図９】１／４Ｆ反転駆動について、各フィールド毎の画素電位の極性を示す図であり、（Ａ）〜（Ｃ）は、１フィールド目〜３フィールド目について、それぞれ示す。
【図１０】１Ｆ反転駆動方式における信号線電位と画素電位との関係を示すタイミングチャートであり、（Ａ）は、信号線電位の波形であり、（Ｂ）〜（Ｇ）は、パネル位置が上から下にかけてそれぞれ異なる走査線のゲートパルスＶＧ１〜６と、画素電位ＶＰ１〜６とを、それぞれ示す。
【図１１】１Ｆ反転駆動方式において、各パネル位置に応じて画素電位のリーク量を示した図である。
【図１２】１Ｆ反転駆動方式の場合に生ずるシェーディング不良を示す。
【符号の説明】
【００５５】
１…液晶表示装置、２…映像信号処理部、３…タイミングジェネレータ、４…液晶ドライバ、５…ＬＣＤパネルモジュール。
【図１】
2005309049.tif 000003
【図２】
2005309049.tif 000004
【図３】
2005309049.tif 000005
【図４】
2005309049.tif 000006
【図５】
2005309049.tif 000007
【図６】
2005309049.tif 000008
【図７】
2005309049.tif 000009
【図８】
2005309049.tif 000010
【図９】
2005309049.tif 000011
【図１０】
2005309049.tif 000012
【図１１】
2005309049.tif 000013
【図１２】
2005309049.tif 000014